(57)【要約】【課題】活魚の表面に損傷を与えることなく冬眠状態に冷却することができ、溶解時に冬眠状態の活魚に適量の酸素を供給することで旨味を損なうことなく大量の活魚を効率的に運搬することができ、流量による正確な使用量の計測を可能にする。【解決手段】製造装置１０は、海水貯留槽１、気泡発生装置２、製氷装置３、海水氷貯留槽４、排出装置５を備える。海水貯留槽１は、取得した海水を貯留する。気泡発生装置２は、海水貯留槽１内の海水中に所定量の酸素気泡を導入する。製氷装置３は、酸素気泡が導入された海水をシャーベット状に製氷する。海水氷貯留槽４は、製氷装置３で製氷された海水氷を海水と撹拌混合しつつスラリー状にして貯留する。排出装置５は、海水氷貯留槽１に貯留された海水氷を外部に排出する。【選択図】図１
2007278667.tif 000002
【特許請求の範囲】
【請求項１】
運搬中の活魚の冷却に使用される海水氷であって、運搬される活魚の冬眠時の呼吸量に応じた量の酸素気泡を含有し、シャーベット状に製氷された後に海水と撹拌混合されてスラリー状を呈することを特徴とする海水氷。
【請求項２】
海水に所定量の酸素気泡を導入する酸素導入工程と、酸素気泡を導入した海水をシャーベット状の海水氷に製氷する製氷工程と、シャーベット状の海水氷を海水と撹拌混合しつつスラリー状にして貯留する貯留工程と、を含むことを特徴とする海水氷の製造方法。
【請求項３】
前記製氷工程の前に、前記海水を殺菌処理する殺菌工程を含むことを特徴とする請求項２に記載の海水氷の製造方法。
【請求項４】
取得した海水を貯留する海水貯留槽と、前記貯留槽内の海水中に所定量の酸素気泡を導入する気泡発生部と、酸素気泡が導入された海水をシャーベット状に製氷する製氷部と、製氷部で製氷された海水氷を海水と撹拌混合しつつスラリー状にして貯留する海水氷貯留槽と、前記海水氷貯留槽に貯留された海水氷を外部に排出する排出部と、前記排出部における前記海水氷貯留槽から外部への海水氷の排出流量を制御する制御部と、を含むことを特徴とする海水氷の製造装置。
【請求項５】
取得した海水を貯留する海水貯留槽と、前記貯留槽内の海水中に所定量の酸素気泡を導入する気泡発生部と、酸素気泡が導入された海水をシャーベット状に製氷する製氷部と、製氷部で製氷された海水氷を海水と撹拌混合しつつスラリー状にして貯留する海水氷貯留槽と、前記海水氷貯留槽に貯留された海水氷を外部に排出する排出部と、代金の入力を受け付ける代金処理部と、前記代金投入部に入力された金額に応じて前記排出部における前記海水氷貯留槽から外部への海水氷の排出流量を制御する制御部と、を備え、前記制御部は、海水氷中の酸素気泡の含有量の設定入力を受け付ける入力部、及び、前記入力部に対する入力内容に応じて前記気泡発生部の酸素気泡の導入量を調整する調整部をさらに含むことを特徴とする海水氷の販売装置。
【発明の詳細な説明】
【技術分野】
【０００１】
この発明は、産地から販売地等の目的地へ活魚を運搬する際の活魚の冷却に好適な海水氷、並びに、この海水氷の製造方法、製造装置及び販売装置に関する。
【背景技術】
【０００２】
魚介類を産地から販売地等の目的地に運搬する際に、魚介類を冷凍すると鮮度が低下し、旨味が損なわれる。また、冷凍に際して粉砕した氷を魚介類に接触させた状態で運搬すると、魚介類の表面に損傷を与えるだけでなく、氷の使用量を正確に計測できず、搬送も困難になる。
【０００３】
そこで、従来より、水槽を備えた活魚介類運搬槽が提案されている。活魚介類運搬槽は、海水や水を貯留し水槽内で魚介類を運搬することで、活力のある状態で魚介類を運搬することができ、鮮度の低下や旨味が損なわれることを防止できるとされている（例えば、特許文献１参照。）。水槽内に貯留される海水や水の温度や酸素量は、運搬中において魚介類の生存に適した状態に制御される。
【特許文献１】特開平０１−１５７３２７号公報
【発明の開示】
【発明が解決しようとする課題】
【０００４】
しかしながら、魚介類の運搬中に水槽内の海水や水の温度や酸素量を制御するためには、複雑な構成の装置が必要になり、装備費や運搬コストの高騰を招く問題がある。また、運搬効率を優先して水槽内に多量の魚介類が投入される場合が多く、運搬中の魚介類に過度のストレスが作用し、旨味が損なわれる問題がある。
【０００５】
この発明の目的は、活魚の表面に損傷を与えることなく活魚に直接接触させて冬眠状態に冷却することができ、溶解時に冬眠状態の活魚に充分な酸素を供給することで旨味を損なうことなく大量の活魚を効率的に運搬することができるとともに、流量による正確な使用量の計測が可能で、かつ、搬送性に優れた海水氷、この海水氷の製造方法、製造装置及び販売装置を提供することにある。
【課題を解決するための手段】
【０００６】
この発明の海水氷は、運搬中の活魚の冷却に使用される海水氷であって、運搬される活魚の冬眠時の呼吸量に応じた量の酸素気泡を含有し、シャーベット状に製氷された後に海水と撹拌混合されてスラリー状を呈することを特徴とする。
【０００７】
この構成では、スラリー状の海水氷が、運搬される活魚の冬眠時の呼吸量に応じた量の酸素気泡を含有している。スラリー状の氷は、活魚に直接接触しても活魚の表面に損傷を与えることがない。運搬される活魚は、氷との接触によって冬眠状態となり、過度のストレスを受けることがないために本来の旨味が損なわれないだけでなく、冬眠状態となるときに旨味成分を分泌する。海水氷は、活魚の運搬中に環境温度によって溶解する際に冬眠状態の活魚の呼吸量に応じた量の酸素を放出し、活魚に充分な酸素が供給され続ける。これによっても、運搬中に活魚の旨味成分が確実に保たれる。スラリー状の氷は、流動性が高いため、流量による使用量の正確な計測が可能で、搬送性に優れる。
【０００８】
この発明の海水氷の製造方法は、酸素導入工程、製氷工程、貯留工程を含む。酸素導入工程は、海水に所定量の酸素気泡を導入する。製氷工程は、酸素気泡を導入した海水をシャーベット状の海水氷に製氷する。貯留工程は、シャーベット状の海水氷を海水と撹拌混合しつつスラリー状にして貯留する。
【０００９】
この構成では、所定の酸素気泡を含有したスラリー状の海水氷が製造、貯留される。必要量の海水氷が容易に使用できる状態にされる。
【００１０】
この発明の海水氷の製造方法における製氷工程の前に、海水を殺菌処理する殺菌工程を含むことができる。
【００１１】
この構成では、殺菌処理された海水を用いて、所定量の酸素気泡を含有したスラリー状の海水氷が製造される。採取する海水が汚損している場合でも、衛生的な海水氷が製造される。
【００１２】
この発明の海水氷の製造装置は、海水貯留槽、気泡発生部、製氷部、海水氷貯留槽、排出部、制御部を備えている。海水貯留槽は、取得した海水を貯留する。気泡発生部は、海水貯留槽内の海水中に所定量の酸素気泡を導入する。製氷部は、酸素気泡が導入された海水をシャーベット状に製氷する。海水氷貯留槽は、製氷部で製氷された海水氷を海水と撹拌混合しつつスラリー状にして貯留する。排出部は、海水氷貯留槽に貯留された海水氷を外部に排出する。制御部は、排出部における海水氷貯留槽から外部への海水氷の排出流量を制御する。
【００１３】
この構成では、所定の酸素気泡を含有したスラリー状の海水氷が製造され、排出流量を制御可能にして貯留される。必要量の海水氷が容易に使用できる状態にされる。
【００１４】
この発明の海水氷の販売装置は、海水貯留槽、気泡発生部、製氷部、海水氷貯留槽、排出部、代金処理部、制御部を備えている。海水貯留槽は、取得した海水を貯留する。気泡発生部は、海水貯留槽内の海水中に所定量の酸素気泡を導入する。製氷部は、酸素気泡が導入された海水をシャーベット状に製氷する。海水氷貯留槽は、製氷部で製氷された海水氷を海水と撹拌混合しつつスラリー状にして貯留する。排出部は、海水氷貯留槽に貯留された海水氷を外部に排出する。代金処理部は、代金の入力を受け付ける。制御部は、代金投入部に入力された金額に応じて排出部における海水氷貯留槽から外部への海水氷の排出流量を制御する。また、制御部は、入力部、調整部を備えている。入力部は、海水氷中の酸素気泡の含有量の設定入力を受け付ける。調整部は、入力部に対する入力内容に応じて気泡発生部の酸素気泡の導入量を調整する。
【００１５】
この構成では、所定の酸素気泡を含有したスラリー状の海水氷が製造され、入力された代金に応じた量だけ排出可能にして貯留される。必要量の海水氷が正確に販売できる状態にされる。また、販売する海水氷の酸素含有量が、販売処理を行う制御部によって制御される。
【発明の効果】
【００１６】
この発明の海水氷は、活魚をその表面に損傷を与えることなく、冬眠状態にして、適量の酸素を供給しつつ、活魚の本来の旨味を損なうことなく大量の活魚を効率的に運搬することができる。また、流量によって使用量を正確に計測することができ、搬送性にも優れるために作業性を向上させることができる。
【００１７】
この発明の海水氷の製造方法は、殺菌処理された海水を用いて所定量の酸素気泡を含有したスラリー状の海水氷を製造することで、採取する海水が汚損している場合でも、衛生的な海水氷を製造できる。
【００１８】
この発明の海水氷の製造装置は、所定の酸素気泡を含有したスラリー状の海水氷を、必要量だけ容易に使用できる状態で貯留することができる。
【００１９】
この発明の海水氷の販売装置は、所定の酸素気泡を含有したスラリー状の海水氷を、入力された代金に応じた量だけ排出可能にして貯留することができ、必要量の海水氷を正確に販売することができる。また、販売する海水氷の酸素含有量を、販売処理を行う制御部によって容易かつ正確に制御することができる。
【発明を実施するための最良の形態】
【００２０】
図１は、この発明の実施形態に係る海水氷の販売装置１０のブロック図である。販売装置１０は、海水貯留槽１、気泡発生装置２、製氷機３、海水氷貯留槽４、排出装置５、操作装置６、殺菌装置７を備えている。海水貯留槽１は、海から採取した海水を貯留する。気泡発生装置２は、この発明の気泡発生部であり、酸素を発生して海水貯留槽１内に貯留された海水に導入する。
【００２１】
殺菌装置７は、海水貯留槽１からポンプ１１を介して製氷機３に供給される海水を、一例として紫外線の照射によって殺菌する。製氷機３は、この発明の製氷部であり、一例として海水を冷却したシリンダの内面に薄膜状に凍らせた後に掻き落とし、シャーベット状の海水氷を作る。製氷機３は、他の方法でシャーベット状の海水氷を作るものであってもよい。
【００２２】
海水氷貯留槽４は、モータ４１及び撹拌羽根４２を備えている。海水氷貯留槽４には、製氷機３からポンプ３１を介してシャーベット状の海水氷が供給される。海水氷貯留槽４は、シャーベット状の海水氷を海水と撹拌、混合してスラリー状の海水氷として貯留する。
【００２３】
排出装置５は、ポンプ５１、流量計５２、排出管５３を備えている。排出管５３は、一端を海水氷貯留槽４に接続している。ポンプ５１及び流量計５２は、排出管５３に備えられている。ポンプ５１は、海水氷貯留槽４内に貯留されているスラリー状の海水氷を排出管５３を経由して外部に排出する。流量計５２は、排出管５３内の海水氷の流量を測定し、流量に応じた電気信号を流量信号として出力する。
【００２４】
海水氷貯留槽４内に貯留されているスラリー状の海水氷は、流動性が高いため、排出管５３として可撓性を有するホース等を使用することがでる。このため、海水氷の排出位置の自由度が高く、海水氷を使用する場所への搬送作業が簡略化され、作業性が向上する。例えば、漁港内の安定した場所に設置された販売装置１０から漁船内に海水氷を直接排出することができる。また、排出管５３内における海水氷の流量を測定することができ、海水氷の排出量を正確に計測することができる。
【００２５】
操作装置６は、ディスプレイ６１、貨幣処理機６２を備えている。ディスプレイ６１は、種々の画面を表示する。ディスプレイ６１の表面には、タッチパネルが配置されている。タッチパネルは、ディスプレイ６１が表示する画面に応じた情報の入力を受け付ける。通常、ディスプレイ６１は海水氷の販売のための画面を表示しており、タッチパネルは海水氷の購入量等の入力を受け付ける。
【００２６】
貨幣処理機６２は、この発明の代金処理部であり、海水氷の購入量に応じた代金の処理を行う。このため、貨幣処理機６２は、貨幣投入口６３及び釣り銭放出口６４を備えている。貨幣処理機６２は、代金以上の金額の貨幣が貨幣投入口６３に投入されると、これを収納して必要な釣り銭を釣り銭放出口６４に放出する。
【００２７】
上記の構成において、操作装置６を除く海水貯留槽１、気泡発生装置２、製氷機３、海水氷貯留槽４、排出装置５、殺菌装置７がこの発明の海水氷の製造装置に含まれる。
【００２８】
図２は、この発明の海水氷の製造方法を示す図である。この発明の海水氷の製造装置を構成する海水貯留槽１、気泡発生装置２、製氷機３、海水氷貯留槽４、排出装置５及び殺菌装置７は、酸素導入工程Ｓ１、殺菌工程Ｓ２、製氷工程Ｓ３、貯留工程Ｓ４及び排出工程Ｓ５を順次行う。
【００２９】
酸素導入工程Ｓ１では、海水貯留槽１において海水に所定量の酸素気泡を気泡発生装置２から導入する。殺菌工程Ｓ２では、酸素気泡を含有した海水氷に殺菌装置７によって紫外線の照射による殺菌処理を施す。殺菌工程Ｓ２は、酸素導入工程Ｓ１の前に行うこともできる。
【００３０】
製氷工程Ｓ３では、酸素気泡を導入した海水を製氷装置３によってシャーベット状の海水氷に製氷する。貯留工程Ｓ４では、シャーベット状の海水氷を海水氷貯留槽４で海水と撹拌混合しつつスラリー状にして貯留する。海水氷貯留槽４に供給される海水は、殺菌処理を施されている。排出工程Ｓ５では、海水氷貯留槽４内に貯留されている海水氷を排出装置５によって外部に排出する。
【００３１】
以上の処理により、海水を衛生的なスラリー状の海水氷にして海水氷貯留槽４に貯留しておき、必要に応じて所定量を外部に排出することができる。
【００３２】
図３は、販売装置１０の制御部の構成を示すブロック図である。販売装置１０の操作装置６には、この発明の制御部である制御装置１００が収納されている。制御装置１００は、ＲＯＭ１０２、ＲＡＭ１０３を備えたＣＰＵ１０１に、表示制御部１０４、タッチパネル１０５、貨幣処理機６２、気泡発生装置２、ポンプドライバ１０６、Ａ／Ｄ変換器１０７、インタフェース１０８等を接続して構成されている。
【００３３】
ＣＰＵ１０１は、ＲＯＭ１０２に予め書き込まれたプログラムに従って各機器を統括して制御し、この間に入出力されるデータをＲＡＭ１０３に割り当てられている各メモリエリアに格納する。表示制御部１０４には、ディスプレイ６１が接続されている。表示制御部１０４は、ＣＰＵ１０１から入力された画面データをディスプレイ６１に表示する。タッチパネル１０５は、操作データをＣＰＵ１０１に入力する。
【００３４】
ポンプドライバ１０６は、ＣＰＵ１０１から供給される駆動データに従ってポンプ５１を駆動する。Ａ／Ｄ変換器５２は、流量計５２の流量信号をディジタルデータに変換してＣＰＵ１０１に入力する。インタフェース１０８は、パーソナルコンピュータ等の外部装置２０１に接続されている。ＣＰＵ１０１は、インタフェース１０８を介して外部装置２０１との間でデータの送受信を行う。外部装置２０１は、販売量の管理や請求書等の帳票の発行を行う。
【００３５】
海水氷の販売時には、ＣＰＵ１０１は、貨幣処理機６２から投入金額データを読み取り、タッチパネル１０５から入力された購入量に単価を乗じた代金の金額と比較する。ＣＰＵ１０１は、投入金額が代金の金額以上である場合に、流量計５２の流量データが購入量に一致するまで、駆動データをポンプドライバ５１に出力する。ＣＰＵ１０１は、投入金額が代金の金額より多い場合には貨幣処理機６２に差額データを出力し、釣り銭を放出させる。
【００３６】
ＣＰＵ１０１は、海水貯留槽１内の海水が含有する酸素量の調整も行う。酸素量の調整時には、ＣＰＵ１０１は、タッチパネル１０５から入力された酸素量に応じて気泡発生装置２に駆動データを出力する。
【００３７】
販売装置１０が販売する海水氷は、活魚の運搬時の冷却に好適である。販売装置１０が販売する海水氷は、スラリー状であるため、活魚に直接接触しても活魚の表面に損傷を与えることがない。漁船上で捕獲した活魚に直ちに海水氷を接触させ、冬眠状態にすることができる。活魚は、冬眠状態となるときに旨味成分を分泌することが知られている。また、冬眠状態の活魚は、運搬時に作用する揺れや収納密度によっても過度のストレスを受けることがなく、活魚の旨味が運搬中に損なわれることがない。
【００３８】
また、販売装置１０が販売する海水氷は、適度の酸素気泡を含有しているため、活魚の運搬中に環境温度によって溶解する際に冬眠状態の活魚の呼吸量に応じた量の酸素を放出する。運搬中の活魚には、適量の酸素が過不足なく供給され続ける。これによっても、運搬中に活魚の旨味成分が確実に保たれる。
【００３９】
海水氷に含有させるべき酸素気泡の量は、運搬される活魚の冬眠時の呼吸量に応じた量とすべきである。活魚の冬眠時の呼吸量は、活魚の種類等に応じて異なる。販売装置１０では、操作装置６の操作によって海水氷が含有する酸素気泡量を容易に調整できる。
【００４０】
なお、販売装置１０に、貨幣処理機６２に代えて、又は、貨幣処理機６２とともに、カード処理機や通信処理機を備え、プリペイドカード、ポストペイカード又は携帯電話機等の通信機器との間の通信により、海水氷の販売量に応じた課金処理を行うようにしてもよい。
【図面の簡単な説明】
【００４１】
【図１】この発明の実施形態に係る海水氷の販売装置１０のブロック図である。
【図２】この発明の海水氷の製造方法を示す図である。
【図３】販売装置１０の制御部の構成を示すブロック図である。
【符号の説明】
【００４２】
１  海水貯留槽
２  気泡発生装置
３  製氷装置
４  海水氷貯留槽
５  排出装置
６  操作装置
７  殺菌装置
５２  流量計
５３  排出管
６１  ディスプレイ
６２  貨幣処理機
【図１】
2007278667.tif 000003
【図２】
2007278667.tif 000004
【図３】
2007278667.tif 000005